(57)【要約】【課題】弱電界信号、ゴースト付信号、非標準信号（ＶＴＲの特殊再生）などノイズが多い信号に対して、確実に同期信号の分離ができる同期信号分離回路を提供することを目的とする。【解決手段】輝度信号からミニマムレベル検出器５によりシンクチップレベルを、ペデスタルレベル検出器６によりペデスタルレベルを検出し、出力する。同期信号振幅値異常検出回路７は前記ペデスタルレベルと前記シンクチップレベルの差から得られる同期信号振幅値が適正範囲内か否かを示す適正範囲判定信号を出力する。また、中間スライスレベル生成器３は前記シンクチップレベルとペデスタルレベルとの中間値を生成し、前記適正範囲判定信号が適正範囲内を示す場合には新たな中間スライスレベルを、適正範囲内にない場合には直前の中間スライスレベルを同期信号分離回路２のスライスレベルとして出力する。【選択図】        図１
2004282450.tif 000002
【特許請求の範囲】
【請求項１】
ディジタル映像信号から同期信号を分離する同期信号分離回路において、ディジタル映像信号から色信号成分を除去しディジタル輝度信号を生成するローパスフィルタと、前記ディジタル輝度信号とスライスレベルとを比較して同期信号を分離・出力する同期信号分離手段と、前記同期信号からペデスタルレベル検出パルスを発生するタイミングパルス発生手段と、前記ディジタル輝度信号から前記ペデスタルレベル検出パルスに基づきペデスタルレベルを検出するペデスタルレベル検出手段と、ディジタル輝度信号の最小値をシンクチップレベルとして検出するミニマムレベル検出手段と、前記ペデスタルレベルと前記シンクチップレベルとの中間値を中間スライスレベルとして生成し前期同期信号分離手段のスライスレベルとして出力する中間スライスレベル生成手段と、前記ペデスタルレベルと前記シンクチップレベルとの差を同期信号振幅値として求め、その値が適正範囲内にあるか否かを示す適正範囲判定信号を前記中間スライスレベル生成手段に出力する同期信号振幅値異常検出手段とを備え、
前記適正範囲判定信号が不適正を示す場合、前記中間スライスレベル生成手段が出力を更新せず、直前の中間スライスレベルを保持・出力するようにしたことを特徴とする同期信号分離回路。
【請求項２】
ディジタル映像信号から同期信号を分離する同期信号分離回路において、ディジタル映像信号から色信号成分を除去しディジタル輝度信号を生成するローパスフィルタと、前記ディジタル輝度信号とスライスレベルとを比較して同期信号を分離・出力する同期信号分離手段と、前記同期信号からペデスタルレベル検出パルスを発生するタイミングパルス発生手段と、前記ディジタル輝度信号から前記ペデスタルレベル検出パルスに基づきペデスタルレベルを検出するペデスタルレベル検出手段と、ディジタル輝度信号の最小値をシンクチップレベルとして検出するミニマムレベル検出手段と、前記ペデスタルレベルと前記シンクチップレベルとの中間値を中間スライスレベルとして出力する中間スライスレベル生成手段と、前記ペデスタルレベルと前記シンクチップレベルとの差を同期信号振幅値として求め、その値が適正範囲内にあるか否かを示す適正範囲判定信号を出力する同期信号振幅値異常検出手段と、前記適正範囲判定信号出力が適正範囲を示す場合に前記中間スライスレベル生成手段の出力を選択し、適正範囲を示さない場合に規定値を選択して前記同期信号分離手段のスライスレベルとして出力するスライスレベル選択手段とを備えたことを特徴とする同期信号分離回路。
【請求項３】
前記同期信号の有無を判定する同期信号検出信号を出力する同期信号検出手段を備え、前記スライスレベル選択手段が、前記同期信号検出信号が同期信号無を示す場合または前記同期信号振幅値異常検出手段の判定出力が適正範囲を示さない場合に規定値を選択して前記同期信号分離手段のスライスレベルとして出力することを特徴とする請求項２に記載の同期信号分離回路。
【請求項４】
前記同期信号振幅値異常検出手段が、前記ペデスタルレベルと前記シンクチップレベルの差を演算し同期信号振幅値を出力する減算手段と、該同期信号振幅値と適正範囲の上限値および下限値とを比較して前記適正範囲判定信号を出力するウィンドウコンパレータとを備えたことを特徴とする請求項１乃至請求項３の何れかに記載の同期信号分離回路。
【発明の詳細な説明】
【０００１】
【発明の属する技術分野】
この発明は、ディジタルコンポジット映像信号から同期信号を分離するディジタル型同期信号分離回路（以下、同期信号分離回路と称す）に関するものである。
【０００２】
【従来の技術】
近年、テレビジョン受像機においてディジタル化が進んでいる。映像信号のディジタル化処理が盛んになるのに伴い、それに必要な同期信号分離回路のディジタル処理についても提案されている。
従来の同期信号分離回路は、同期信号を基準としてシンクチップ位置信号とペデスタル位置信号を発生し、それらの位置信号に対応する映像信号のレベルをそれぞれシンクチップレベルとペデスタルレベルとして検出し、その中間値（例えば両者の平均レベル）をスライスレベルとして用いるものがある（特許文献１参照）。
また、シンクチップレベルを検出する方法として、コンポジット映像信号の１水平周期における最小値を取り込むミニマム検出器を使用しているものもある（特許文献２参照）。
【０００３】
【特許文献１】
特開平８−１９５８９３号公報（第３−４頁、第１図、第４図）
【特許文献２】
特開平８−２７５０２６号公報（第３頁、第１図）
【０００４】
【発明が解決しようとする課題】
上記のような従来の同期信号分離回路では、同期信号分離回路により得られた同期信号を基準としてシンクチップ位置信号とペデスタル位置信号を得ているので、位置の正確性が必要とされるペデスタル位置信号がノイズにより誤った位置に出力された場合には正しいペデスタルレベルが得られず、従って正しい中間スライスレベルが得られなくなることがあった。その結果、水平同期信号のみならず垂直同期信号も正しいものが得られず、画面が大きく乱れることがあった。
そのため、弱電界信号、ゴースト付信号、非標準信号（ＶＴＲの特殊再生）などに対して、同期信号分離回路が誤動作を起こしやすいという問題点があった。
【０００５】
この発明は、上述のような課題を解消するためになされたもので、ノイズなどの影響を受けにくい、確実に同期信号の分離ができる同期信号分離回路を提供することを目的とする。
【０００６】
【課題を解決するための手段】
この発明に係る同期分離回路は、前記ディジタル輝度信号とスライスレベルとを比較して同期信号を分離・出力する同期信号分離手段と、前記同期信号からペデスタルレベル検出パルスを発生するタイミングパルス発生手段と、前記ディジタル輝度信号から前記ペデスタルレベル検出パルスに基づきペデスタルレベルを検出するペデスタルレベル検出手段と、ディジタル輝度信号の最小値をシンクチップレベルとして検出するミニマムレベル検出手段と、前記ペデスタルレベルと前記シンクチップレベルとの中間値を中間スライスレベルとして生成し前期同期信号分離手段のスライスレベルとして出力する中間スライスレベル生成手段と、前記ペデスタルレベルと前記シンクチップレベルとの差を同期信号振幅値として求め、その値が適正範囲内にあるか否かを示す適正範囲判定信号を前記中間スライスレベル生成手段に出力する同期信号振幅値異常検出手段とを備え、前記適正範囲判定信号が不適正を示す場合、前記中間スライスレベル生成手段が出力を更新せず、直前の中間スライスレベルを保持・出力するようにしたことを特徴とする。
【０００７】
また、前記同期信号振幅値異常検出手段の適正範囲判定信号出力が適正範囲を示す場合に前記同期信号分離手段のスライスレベルとして前記中間スライスレベル生成手段の出力を選択し、適正範囲を示さない場合に標準的なスライスレベルとしての固定値（以下、規定値と称す）を選択するスライスレベル選択手段を備えたものである。
【０００８】
また、前記同期信号の有無を判定する同期信号検出信号を出力する同期信号検出手段を備え、前記スライスレベル選択手段が、前記同期信号検出信号が同期信号無を示す場合または前記同期信号振幅値異常検出手段の出力が適正範囲を示さない場合に規定値を選択することを特徴とする。
【０００９】
【発明の実施の形態】
実施の形態１．
図１はこの発明の実施の形態１であるディジタル同期信号分離回路の構成を示すブロック図である。同図において、例えば、図２（ａ）に示すディジタルコンポジット映像信号（以下、複合映像信号と称す）は、色信号成分を除去するためのローパスフィルタ１（以下、ＬＰＦ１と称す）により図２（ｂ）に示すようにカラーバースト信号等が除去され、ディジタル輝度信号（以下、輝度信号と称す）として同期信号分離回路２に入力される。同期信号分離回路２において、前記輝度信号と中間スライスレベル生成器３から出力されるスライスレベルが比較され、図２（ｃ）に示すようにコンポジット同期信号（以下、同期信号と称す）が出力される。なお、図２（ｃ）は前記同期信号の水平同期信号部分を示している。
【００１０】
以下、中間スライスレベル生成器３による中間スライスレベルの生成について詳細に説明する。図３は中間スライスレベル生成動作の説明図であり、図２に示す輝度信号の水平ブランキング期間に着目したものである。同期信号分離回路２において図３（ａ）に示す輝度信号とスライスレベルとを比較することにより図３（ｂ）に示す同期信号が分離される。なお、図３（ｂ）は水平同期信号と称される。
【００１１】
シンクチップレベルが１水平周期データの最小値であることに注目して、タイミングパルス発生器４により例えば図３（ｃ）に示す前記水平同期信号の先端から映像部分の手前までの幅を持つミニマムレベル検出パルスを生成し、このミニマムレベル検出パルス期間内の前記輝度信号のミニマム値をミニマムレベル検出器５により検出しシンクチップレベルとして出力する。
【００１２】
なお、映像表示期間の輝度信号の最小値はペデスタルレベル以下になることはないので、前記ミニマムレベル検出パルスは必ずしも必要ではない。
【００１３】
ペデスタルレベルは水平同期信号の後端から映像部分の間の約４．７μｓｅｃの平坦部の信号レベルであるので、図３（ｄ）に示すように前記タイミングパルス発生器４により前記水平同期信号の後端の立ち上がりエッジから例えば３μｓｅｃ後の位置にペデスタル検出パルスを発生させ、このペデスタル検出パルス位置の前記輝度信号レベルをペデスタルレベル検出器６により検出しペデスタルレベルとして出力する。
【００１４】
前記中間スライスレベル生成器３において、例えば前記シンクチップレベルと前記ペデスタルレベルとを加算して２分の１することによりそれらの中間値が求められ、中間スライスレベルとして出力される。
【００１５】
また、前記シンクチップレベルと前記ペデスタルレベルとが同期信号振幅値異常検出回路７の減算回路８に入力され、それらの差として同期信号振幅値がウィンドウコンパレータ９に出力される。ウィンドウコンパレータ９には同期信号振幅値の適正範囲を示す上限値Ｓｍａｘと下限値Ｓｍｉｎが閾値として入力されており、前記減算回路８により得られた同期信号振幅値が適正範囲内であるか否かが検出され、その検出結果を示す適正範囲判定信号が中間スライスレベル生成器３に出力される。中間スライスレベル生成器３においては、前記適正範囲判定信号が適正範囲内を示す場合には中間スライスレベルの更新が行われ、新たな中間スライスレベルが出力される。他方、適正範囲外を示す場合にはスライスレベルの更新が行われず、直前のスライスレベルが保持され出力される。
【００１６】
そのため、例えば図４（ａ）に示すように水平ブランキング期間に生じたノイズなどにより図４（ｂ）に示すように水平同期信号が誤検出された場合、前記ペデスタル検出パルスが水平同期信号の後端の立ち上がりエッジから３μｓｅｃ後の位置に設定されるならば、その位置が図４（ｃ）に示すように映像部分に位置することがある。この場合、検出されたペデスタルレベルが異常に高いレベルになってしまい、スライスレベルも異常に高いレベルになる。
【００１７】
また、図５（ａ）に垂直ブランキング期間の輝度信号を、図５（ｂ）に等価パルス期間と垂直同期パルス期間の切替り部分を示す。図５（ｂ）に示すようにペデスタルレベルの幅が約４．７μｓｅｃであるので、垂直同期パルスに期間生じたノイズなどにより図５（ｃ）に示すように垂直同期パルスが誤検出された場合、前記ペデスタル検出パルスが例えば図５（ｄ）に示すように同期信号の後端の立ち上がりエッジから３μｓｅｃ後の位置に設定されていると、シンクチップレベルと同じレベルをペデスタルレベルとして誤って検出することがある。この場合、検出されたペデスタルレベルが異常に低いペデスタルレベルになってしまい、また、スライスレベルもシンクチップレベルになってしまう。なお、このような異常に低いペデスタルレベルの検出はＶＴＲの特殊再生において特に生じ易い。
【００１８】
以上のように、ペデスタルレベル検出異常を同期信号振幅値の異常として検出する同期信号振幅値異常検出回路７で検出し、異常なスライスレベルに更新されることを防止している。そのため、異常なスライスレベルによる同期信号の分離を防止することができ、弱電界信号、ゴースト付信号、ＶＴＲ特殊再生信号のようなノイズを含む信号に対しても安定した同期分離動作が実現できる。
【００１９】
実施の形態２．
図６はこの発明の実施の形態２であるディジタル同期信号分離回路の構成を示すブロック図である。同図において、ＬＰＦ１、同期信号分離回路２、中間スライスレベル生成器３、タイミングパルス発生器４、ミニマムレベル検出器５、ペデスタルレベル検出器６、同期信号振幅値異常検出回路７の動作は図１の動作とほぼ同様であるので、説明を一部省略する。
【００２０】
中間スライスレベル生成器３は、ミニマムレベル検出器５から出力されるシンクチップレベルとペデスタルレベル検出器６から出力されるペデスタルレベルとの中間値を求め、切替回路１０に出力する。切替回路１０には、前記中間スライスレベル生成器３の出力と規定値（標準的なスライスレベルとしての固定値）が入力されている。
【００２１】
同期信号振幅値異常検出回路７の適正範囲判定信号はＯＲ回路１１を経由して切替回路１０の制御信号として入力される。前記適正範囲判定信号が適正範囲内を示す場合、切替回路１０は中間スライスレベル生成器３の出力を選択して同期信号分離回路２にスライスレベルとして出力する。他方、適正範囲外を示す場合、規定値を選択してスライスレベルとして出力する。
【００２２】
また、同期信号分離回路２から出力される同期信号は同期信号検出回路１２に入力され、その位置や幅から同期信号が正しく得られているか否かを示す同期信号検出信号が出力される。この同期信号検出信号はＯＲ回路１１を経由して切替回路１０の制御信号として入力される。前記同期信号検出信号が同期信号が正しく得られたことを示す場合、切替回路１０は中間スライスレベル生成器３の出力を選択し、同期信号分離回路２にスライスレベルとして出力する。他方、同期信号が正しく得られなかった場合、規定値を選択してスライスレベルとして出力する。
【００２３】
以上のように、同期信号振幅値が適正範囲内にあった場合および同期信号が正しく得られた場合にはペデスタルレベルとシンクチップレベルの中間値をスライスレベルとして使用し、他方、同期信号振幅値が適正範囲外の場合、または、同期信号が正しく得られなかった場合には、標準的な規定値をスライスレベルとして使用するため、ノイズに強い同期信号分離回路を実現できる。
【００２４】
また、電源立ち上げ時や信号切替時のような同期信号が正しく得られない初期状態においてもスライスレベルとして標準的な規定値により同期信号を分離するので、同期信号分離動作の安定化が実現できる。
【００２５】
【発明の効果】
この発明は、以上説明したように構成されているので、以下に示すような効果を奏する。
【００２６】
同期信号振幅値が適正範囲内にない場合、ペデスタルレベルが誤検出されたと判定し、その誤検出されたペデスタルレベルにより生成されるスライスレベルによる同期信号の分離を防止するようにしたので、弱電界信号、ゴースト付信号、ＶＴＲ特殊再生信号のようなノイズを含む信号に対しても安定した同期分離動作が実現できる。
【００２７】
また、同期信号振幅値が適正範囲外の場合、または、同期信号が正しく得られなかった場合には、標準的な規定値をスライスレベルとして使用するようにしたので、電源立ち上げ時や信号切替時のような同期信号が正しく得られない初期状態においても同期信号分離動作の安定したノイズに強い同期信号分離回路が実現できる。
【図面の簡単な説明】
【図１】この発明の実施の形態１の構成を示すブロック図である。
【図２】同期信号の分離動作を説明する図である。
【図３】中間スライスレベル生成動作を説明する図である。
【図４】水平同期期間におけるノイズによる異常な中間スライスレベルの生成を説明する図である。
【図５】垂直同期期間におけるノイズによる異常な中間スライスレベルの生成を説明する図である。
【図６】この発明の実施の形態２の構成を示すブロック図である。
【符号の説明】
１  ローパスフィルタ（ＬＰＦ）、  ２  同期信号分離回路、  ３  中間スライスレベル生成器、  ４  タイミングパルス発生器、  ５  ミニマムレベル検出器、  ６  ペデスタルレベル検出器、  ７  同期信号振幅値異常検出回路、  ８減算回路、  ９  ウィンドウコンパレータ、  １０  切替回路、  １１  ＯＲ回路、  １２  同期信号検出回路。
【図１】
2004282450.tif 000003
【図２】
2004282450.tif 000004
【図３】
2004282450.tif 000005
【図４】
2004282450.tif 000006
【図５】
2004282450.tif 000007
【図６】
2004282450.tif 000008